(57)【要約】【課題】周囲の環境を考慮することにより、冷却ファンの騒音による不快感を与えないようにすることのできる情報処理装置を提供することを目的とする。【解決手段】情報処理装置の動作中、温度センサ２がＣＰＵ１の温度を検出し、予め設定された温度より高くなった場合、制御装置４が、集音装置５内の騒音検出部６から得られた情報処理装置の周囲の騒音レベルが閾値よりも高い場合は、従来と同様に、冷却ファン８を温度に比例し高速で回転させるようにファンドライバー７を制御する。しかし、情報処理装置の周囲の騒音レベルが閾値以下の場合は、冷却ファン８の回転速度を従来より低速となるようにファンドライバー７を制御するとともに、速度制御部３を制御し、ＣＰＵ１の温度が予め設定された温度より高くならないようにＣＰＵ１の速度を下げる。【選択図】  図１
2004252531.tif 000002
【特許請求の範囲】
【請求項１】
情報処理装置本体内部を冷却するための冷却ファンと、前記冷却ファンの回転速度を制御するファン速度制御部と、前記情報処理装置本体内部の温度を検出する温度センサと、ＣＰＵと、前記ＣＰＵの処理速度を制御するＣＰＵ速度制御部と、前記情報処理装置本体外部の騒音を検出する騒音検出部とを具備した事を特徴とする情報処理装置。
【請求項２】
温度センサはＣＰＵ自身またはＣＰＵ近傍に設置されるものである事を特徴とする請求項１記載の情報処理装置。
【請求項３】
ＣＰＵの処理速度と冷却ファンの回転速度を連動させる事を特徴とする請求項１記載の情報処理装置。
【請求項４】
冷却ファンはＣＰＵを集中して冷却するものである事を特徴とする請求項１記載の情報処理装置。
【請求項５】
情報処理装置本体内部の温度を検出するステップと、前記情報処理装置本体外部の騒音を検出するステップと、前記温度および前記騒音のレベルに基づきＣＰＵの処理速度を制御するステップと、情報処理装置本体内部を冷却するための冷却ファンの回転速度を制御するステップとを有する情報処理装置の冷却方法。
【請求項６】
ＣＰＵの処理速度の制御および冷却ファンの回転速度の制御を情報処理装置本体内部の温度のみに基づくように切り換える事を特徴とする請求項５記載の情報処理装置の冷却方法。
【発明の詳細な説明】
【０００１】
【発明の属する技術分野】
本発明はコンピュータシステムなどの情報処理装置および情報処理装置の冷却方法に関するものである。
【０００２】
【従来の技術】
従来のコンピュータシステムなどの情報処理装置の冷却には、冷却ファンが一般的に使用されている。この情報処理装置の冷却制御は、図３のフローチャートに示すように、ＣＰＵの動作モードや温度に応じて冷却ファンの回転数制御を行っている。
【０００３】
情報処理装置の動作中、ＣＰＵの温度を検出し、ＣＰＵが処理速度を高くするなどして、予め設定された温度より高くなった場合、冷却ファンを高速で回転させ冷却力を高めるように制御する。
【０００４】
これによって、ＣＰＵの温度が上がっても温度に応じて冷却力も大きくなるため、情報処理装置を正しく動作させることができる。
【０００５】
一方、冷却ファンは回転数が上がるとそれに伴って発生する騒音のレベルも大きくなる。このような冷却ファンの騒音を抑えつつ効率的に冷却を行うようにしているものもある（例えば特許文献１参照）。
【０００６】
【特許文献１】
特開２００２−６９９１号公報
【０００７】
【発明が解決しようとする課題】
上記従来例のような方法では、ＣＰＵの動作モードや温度に応じて冷却ファンの騒音レベルが変化するが、周囲の環境とは無関係である。しかし、冷却ファンが発生させる騒音は、周囲の音が大きい場合には気にならないが、低い場合、特に人に不快感を与える。
【０００８】
本発明は、周囲の環境を考慮することにより、このような冷却ファンの騒音による不快感を与えないようにすることのできる情報処理装置を提供することを目的とする。
【０００９】
【課題を解決するための手段】
この課題を解決するために本発明は、周囲の騒音が低い場合、ＣＰＵの処理速度を遅くし、ＣＰＵの発熱を抑え、同時に冷却ファンの回転速度を遅くして冷却ファンの騒音を抑えるように制御し、周囲の騒音レベルが高い場合は、ＣＰＵの処理速度を速くするとともに、冷却ファンの回転速度を速くするようにしたものである。
【００１０】
これにより、周囲の騒音レベルに応じて冷却ファンの騒音レベルも変わるため、冷却ファンの騒音による不快感を与えないようにすることができる。
【００１１】
【発明の実施の形態】
本発明の請求項１に記載の発明は、情報処理装置本体内部を冷却するための冷却ファンと、前記冷却ファンの回転速度を制御するファン速度制御部と、前記情報処理装置本体内部の温度を検出する温度センサと、ＣＰＵと、前記ＣＰＵの処理速度を制御するＣＰＵ速度制御部と、前記情報処理装置本体外部の騒音を検出する騒音検出部とを具備した事を特徴とする情報処理装置であり、情報処理装置本体内部の温度と周囲の騒音レベルに基づいて、ＣＰＵの処理速度と冷却ファンの回転速度を制御する。
【００１２】
これにより、周囲の騒音レベルによってＣＰＵの処理速度や冷却ファンの回転速度を変えることができ、冷却ファンの騒音レベルを周囲の騒音に合わせることにより、不快感を抑える作用を有する。
【００１３】
請求項２に記載の発明は、請求項１記載の情報処理装置において、温度センサはＣＰＵ自身またはＣＰＵ近傍に設置されるものである事を特徴とするもので、ＣＰＵの測定温度の精度が上がるため、処理速度と冷却ファンの回転速度の制御を正しく行なうことができる。
【００１４】
請求項３に記載の発明は、請求項１記載の情報処理装置において、ＣＰＵの処理速度と冷却ファンの回転速度を連動させる事を特徴とするもので、制御を簡素化できるという作用を有する。
【００１５】
請求項４に記載の発明は、請求項１記載の情報処理装置において、冷却ファンはＣＰＵを集中して冷却するものである事を特徴とするもので、冷却効率が上がり、従ってＣＰＵの処理速度の効率も上がるという作用を有する。
【００１６】
請求項５に記載の発明は、情報処理装置本体内部の温度を検出するステップと、前記情報処理装置本体外部の騒音を検出するステップと、前記温度および前記騒音のレベルに基づきＣＰＵの処理速度を制御するステップと、情報処理装置本体内部を冷却するための冷却ファンの回転速度を制御するステップとを有する情報処理装置の冷却方法であり、情報処理装置本体内部の温度と周囲の騒音レベルに基づいて、ＣＰＵの処理速度と冷却ファンの回転速度を制御することにより、周囲の騒音レベルによってＣＰＵの処理速度や冷却ファンの回転速度を変えることができ、冷却ファンの騒音レベルが変化することによって、不快感を抑える作用を有する。
【００１７】
請求項６に記載の発明は、請求項５記載の情報処理装置の冷却方法において、ＣＰＵの処理速度の制御および冷却ファンの回転速度の制御を情報処理装置本体内部の温度のみに基づくように切り換える事を特徴とするものであり、周囲の騒音とは無関係にＣＰＵの処理速度を変えられるという作用を有する。
【００１８】
以下、本発明の実施の形態について、図１と図２を用いて説明する。
【００１９】
（実施の形態１）
図１は本発明の一実施の形態の情報処理装置の構成を示すブロック図、図２は動作のフローチャートを示す。図１において、１はＣＰＵで、その中に温度センサ２、速度制御部３を含んでいる。制御装置４は、温度センサ２と集音装置５内の騒音検出部６から入力を受け、ファンドライバー７とＣＰＵ１の速度制御部３を制御する。冷却ファン８は、ファンドライバー７により制御される。
【００２０】
以上のように構成された本発明の情報処理装置について、その動作を図１および図２を用いて説明する。
【００２１】
情報処理装置の動作中、温度センサ２がＣＰＵ１の温度を検出し、予め設定された温度より高くなった場合、制御装置４が、集音装置５内の騒音検出部６から得られた情報処理装置の周囲の騒音レベルが閾値よりも高い場合は、従来と同様に、冷却ファン８を温度に比例し高速で回転させるようにファンドライバー７を制御する。しかし、情報処理装置の周囲の騒音レベルが閾値以下の場合は、冷却ファン８の回転速度を従来より低速となるようにファンドライバー７を制御するとともに、速度制御部３を制御し、ＣＰＵ１の温度が予め設定された温度より高くならないようにＣＰＵ１の速度を下げる。
【００２２】
つまり、周囲の騒音レベルが高い場合は、冷却ファン８から発生する騒音が大きくても気にならず、また、周囲の騒音レベルが低い場合は、それに合わせてＣＰＵ１の速度を遅くすることによって発熱を抑え、冷却ファン８の回転速度を下げることができるため、冷却ファン８から発生する騒音も低くすることができる。
【００２３】
これにより、周囲の騒音レベルによってＣＰＵの処理速度や冷却ファンの回転速度を変えることができ、冷却ファンの騒音レベルを周囲の騒音に合わせることにより、情報処理装置の騒音による不快感を抑えることができる。
【００２４】
なお、本実施の形態では、温度センサをＣＰＵ自身に設置したが、これをＣＰＵの外に設置してもよく、ＣＰＵ近傍に設置すれば、ＣＰＵの測定温度の精度が上がり、処理速度と冷却ファンの回転速度の制御を正しく行なうことができる。
【００２５】
また、本実施の形態では、ＣＰＵの処理速度と冷却ファンの回転速度の制御を別々に行ったが、これらの制御を連動させてもよく、こうすれば制御を簡素化することができる。
【００２６】
また、冷却ファンはＣＰＵを集中して冷却するようにすれば、冷却効率が上がり、従ってＣＰＵの処理速度の効率も上げることができる。
【００２７】
また、本実施の形態では、ＣＰＵの処理速度と冷却ファンの回転速度の制御を自動的に行うようにしたが、これを解除できるようにして、必要な場合は不快感を生じても周囲の騒音とは無関係にＣＰＵの処理速度と冷却ファンの回転速度を高くできるようにしてもよい。
【００２８】
【発明の効果】
以上のように本発明によれば、周囲の騒音レベルが低い場合、ＣＰＵの処理速度を遅くし、ＣＰＵの発熱を抑え、同時に冷却ファンの回転速度を遅くして冷却ファンの騒音を抑えるように制御し、周囲の騒音レベルが高い場合は、ＣＰＵの処理速度を速くするとともに、冷却ファンの回転速度を速くするようにして、周囲の騒音レベルに応じて冷却ファンの騒音レベルを変えるため、冷却ファンの騒音による不快感を与えないという有利な効果が得られる。
【図面の簡単な説明】
【図１】本発明の一実施の形態の情報処理装置の構成を示すブロック図
【図２】本発明の一実施の形態の情報処理装置の動作のフローチャート
【図３】従来の情報処理装置の動作のフローチャート
【符号の説明】
１  ＣＰＵ
２  温度センサ
３  ＣＰＵ速度制御部
４  制御装置
５  集音装置
６  騒音検出部
７  ファンドライバー
８  冷却ファン
【図１】
2004252531.tif 000003
【図２】
2004252531.tif 000004
【図３】
2004252531.tif 000005